(57)【要約】  【課題】単一の静止画撮影だけでなく、連続時間の中でプログラムした画角、あるいは連続時間の中でプログラムしたアイリスで入力画像を制御し続けた状態での連続時間動画撮影をも可能にし、新たな表現手法を簡単に実現可能な手段を備えた画像記録再生装置を提供する。【解決手段】時間軸方向にシーケンシャルな画角制御をプログラムする手段と、時間軸方向にプログラムされたシーケンスに従い画角制御しながらカメラ撮影記録する手段と、時間軸方向にプログラムされたシーケンスに従い再生画像の画角制御しながら記録画像を再生する手段とを備える。【選択図】  図１
2005175982.tif 000002
【特許請求の範囲】
【請求項１】
時間軸方向にシーケンシャルな画角制御をプログラムする手段と、時間軸方向にプログラムされたシーケンスに従い画角制御しながらカメラ撮影記録する手段と、時間軸方向にプログラムされたシーケンスに従い再生画像の画角制御しながら記録画像を再生する手段とを有することを特徴とする画像記録再生装置。
【請求項２】
請求項１記載の画像記録再生装置において、機械的画角制御手段と電子的画角制御手段のいずれかの手段を有するか、あるいは機械的電子的の両画角制御手段を有することを特徴とする画像記録再生装置。
【請求項３】
請求項１記載の画像記録再生装置において、画角制御プログラムを作成する際に、プログラム中の制御画角内容に応じた周波数の音声を発生する手段を備え、カメラ撮影記録の際にはプログラム済みの制御画角内容に応じた周波数の音声を発生し、あるいは更に平行してこの発生音声を記録する手段を備え、記録画像再生の際にも、プログラム済みの制御画角内容に応じた周波数の音声を発生する手段を備えたことを特徴とする画像記録再生装置。
【請求項４】
請求項１記載の画像記録再生装置において、カメラ撮影記録の際には、ユーザーのトリガーキー押圧操作からプログラム画角制御を開始し、プログラムシーケンスステップ完了後であっても記録撮影が継続される場合は、プログラムシーケンス終端の制御画角を保持する手段を有し、記録画像の再生の際には、ユーザーのトリガーキー押圧操作からプログラム画角制御を開始し、プログラムシーケンスステップ完了後であっても再生操作が継続される場合は、プログラムシーケンス終端の制御画角を保持する手段を有することを特徴とする画像記録再生装置。
【請求項５】
時間軸方向にシーケンシャルなアイリス制御をプログラムする手段と、時間軸方向にプログラムされたシーケンスに従いアイリス制御しながらカメラ撮影記録する手段と、時間軸方向にプログラムされたシーケンスに従い再生画像の出力ゲイン制御しながら記録画像を再生する手段とを有することを特徴とする画像記録再生装置。
【請求項６】
請求項５記載の画像記録再生装置において、機械的アイリス制御手段と電子的アイリス制御手段のいずれかの手段を有するか、あるいは機械的電子的の両アイリス制御手段を有することを特徴とする画像記録再生装置。
【請求項７】
請求項５記載の画像記録再生装置において、アイリス制御プログラムを作成する際に、プログラム中の制御アイリス内容に応じた周波数の音声を発生する手段を備え、カメラ撮影記録の際にはプログラム済みの制御アイリス内容に応じた周波数の音声を発生し、あるいは更に平行してこの発生音声を記録する手段を備え、記録画像再生の際にも、プログラム済みの制御アイリス内容に応じた周波数の音声を発生する手段を備えたことを特徴とする画像記録再生装置。
【請求項８】
請求項５に記載の画像記録再生装置において、カメラ撮影記録の際には、ユーザーのトリガーキー押圧操作からプログラムアイリス制御を開始し、プログラムシーケンスステップ完了後であっても記録撮影が継続される場合は、プログラムシーケンス終端の制御アイリスを保持する手段を有し、
記録画像の再生の際には、ユーザーのトリガーキー押圧操作から出力ゲイン制御を開始し、プログラムシーケンスステップ完了後であっても再生操作が継続される場合は、プログラムシーケンス終端の出力ゲインを保持する手段を有する事を特徴とする画像記録再生装置。
【発明の詳細な説明】
【技術分野】
【０００１】
本発明は、動画あるいは静止画を撮影可能なカメラによって画像入力する画像記録再生装置に関するものである。
【背景技術】
【０００２】
従来の静止画撮影向けカメラでは、被写体とカメラの距離によって生ずる被写体の歪みに応じて画角をプログラム制御する手段が紹介されている（特許文献１参照）。
【０００３】
また、被写体とカメラの距離に応じて、被写体像倍率を一定にすべくレンズ焦点距離を制御する手段も紹介されている（特許文献２参照）。
【特許文献１】特許第２７９２０３６号公報
【特許文献２】特開昭６２−１１８３２８号公報
【発明の開示】
【発明が解決しようとする課題】
【０００４】
しかしながら、上記特許文献は銀塩カメラ向けの発想であるため、画角を離散時間で制御しており、時間的シーケンシャルに画角制御するという技術はなかった。
【０００５】
本発明はこの問題に鑑み、画面上の被写体倍率やアイリスの設定が時間的に細かく変化する動画は一般的に見にくい画像とされているが、別の視点から考えれば、ユニークな表現手法の１つと言える。
【０００６】
そこで、単一の静止画撮影だけでなく、連続時間の中でプログラムした画角、あるいは連続時間の中でプログラムしたアイリスで入力画像を制御し続けた状態での連続時間動画撮影をも可能にし、新たな表現手法を簡単に実現可能な手段を備えた画像記録再生装置を提供することも目的とする。
【課題を解決するための手段】
【０００７】
上記課題を解決するため、請求項１記載の画像記録再生装置は、時間軸方向にシーケンシャルな画角制御をプログラムする手段と、時間軸方向にプログラムされたシーケンスに従い画角制御しながらカメラ撮影記録する手段と、時間軸方向にプログラムされたシーケンスに従い再生画像の画角制御しながら記録画像を再生する手段とを備える。
【０００８】
また、請求項２記載の画像記録再生装置は、画角の制御手段として、機械的画角制御手段と電子的画角制御手段のいずれかの手段を有するか、あるいは機械的電子的の両画角制御手段を備える。
【０００９】
また、請求項３記載の画像記録再生装置においては、画角制御プログラムを作成する際に、プログラム中の制御画角内容に応じた周波数の音声を発生する手段を備え、カメラ撮影記録の際にはプログラム済みの制御画角内容に応じた周波数の音声を発生し、あるいは更に平行してこの発生音声を記録する手段を備え、記録画像再生の際にも、プログラム済みの制御画角内容に応じた周波数の音声を発生する手段を備える。
【００１０】
また、請求項４記載の画像記録再生装置においては、カメラ撮影記録の際には、ユーザーのトリガーキー押圧操作からプログラム画角制御を開始し、プログラムシーケンスステップ完了後であっても記録撮影が継続される場合は、プログラムシーケンス終端の制御画角を保持する手段を有し、記録画像の再生の際には、ユーザーのトリガーキー押圧操作からプログラム画角制御を開始し、プログラムシーケンスステップ完了後であっても再生操作が継続される場合は、プログラムシーケンス終端の制御画角を保持する手段を有する。
【００１１】
さらに、請求項５記載の画像記録再生装置においては、時間軸方向にシーケンシャルなアイリス制御をプログラムする手段と、時間軸方向にプログラムされたシーケンスに従いアイリス制御しながらカメラ撮影記録する手段と、時間軸方向にプログラムされたシーケンスに従い再生画像の出力ゲイン制御しながら記録画像を再生する手段とを有する。
【００１２】
また、請求項６記載の画像記録再生装置においては、機械的アイリス制御手段と電子的アイリス制御手段のいずれかの手段を有するか、あるいは機械的電子的の両アイリス制御手段を有する。
【００１３】
また、請求項７記載の画像記録再生装置においては、アイリス制御プログラムを作成する際に、プログラム中の制御アイリス内容に応じた周波数の音声を発生する手段を備え、カメラ撮影記録の際にはプログラム済みの制御アイリス内容に応じた周波数の音声を発生し、あるいは更に平行してこの発生音声を記録する手段を備え、記録画像再生の際にも、プログラム済みの制御アイリス内容に応じた周波数の音声を発生する手段を備える。
【００１４】
また、請求項８記載の画像記録再生装置においては、カメラ撮影記録の際には、ユーザーのトリガーキー押圧操作からプログラムアイリス制御を開始し、プログラムシーケンスステップ完了後であっても記録撮影が継続される場合は、プログラムシーケンス終端の制御アイリスを保持する手段を有し、記録画像の再生の際には、ユーザーのトリガーキー押圧操作から出力ゲイン制御を開始し、プログラムシーケンスステップ完了後であっても再生操作が継続される場合は、プログラムシーケンス終端の出力ゲインを保持する手段を有する。
【発明の効果】
【００１５】
本発明によれば、請求項１記載の画像記録再生装置において、時間軸方向にシーケンシャルな画角制御をプログラムする手段と、時間軸方向にプログラムされたシーケンスに従い画角制御しながらカメラ撮影記録する手段と、時間軸方向にプログラムされたシーケンスに従い再生画像の画角制御しながら記録画像を再生する手段とを、有する事により、静止している被写体であっても視覚的な変化を加えた動画作品として残す事が可能になり、あるいは、静止画として記録されている作品であっても、再生時に視覚的な変化を加えて、あたかも動画作品のように鑑賞する事ができるようになった。
【００１６】
また、請求項２記載の画像記録再生装置において、画角の制御手段として、機械的画角制御手段と電子的画角制御手段のいずれかの手段を有するか、あるいは機械的電子的の両画角制御手段を有する事により、特に再生時、静止画像に画角変化を加える擬似動画再生が可能になった。
【００１７】
また、請求項３記載の画像記録再生装置において、画角制御プログラムを作成する際に、プログラム中の制御画角内容に応じた周波数の音声を発生する手段を備え、カメラ撮影記録の際にはプログラム済みの制御画角内容に応じた周波数の音声を発生し、あるいは更に平行してこの発生音声を記録する手段を備え、記録画像再生の際にも、プログラム済みの制御画角内容に応じた周波数の音声を発生する手段を備える事により、ユーザーにとって面倒な画角制御プログラム作成も音声を参照した直感的作業が実施可能になり、また、静止画像に画角変化を加える擬似動画再生も音声を加えた演出的表現ができるようになった。
【００１８】
また、請求項４記載の画像記録再生装置において、カメラ撮影記録の際には、ユーザーのトリガーキー押圧操作からプログラム画角制御を開始し、プログラムシーケンスステップ完了後であってもに記録撮影が継続される場合は、プログラムシーケンス終端の制御画角を保持する手段を有し、記録画像の再生の際には、ユーザーのトリガーキー押圧操作からプログラム画角制御を開始し、プログラムシーケンスステップ完了後であっても再生操作が継続される場合は、プログラムシーケンス終端の制御画角を保持する手段を有する事により、プログラムシーケンス完了後であっても安定した画角制御が可能になった。
【００１９】
さらに、請求項５記載の画像記録再生装置において、時間軸方向にシーケンシャルなアイリス制御をプログラムする手段と、時間軸方向にプログラムされたシーケンスに従いアイリス制御しながらカメラ撮影記録する手段と、時間軸方向にプログラムされたシーケンスに従い再生画像の出力ゲイン制御しながら記録画像を再生する手段とを有する事により、静止している被写体であっても視覚的な変化を加えた動画作品として残す事が可能になり、あるいは、静止画として記録されている作品であっても、再生時に視覚的な変化を加えて、あたかも動画作品のように鑑賞する事ができるようになった。
【００２０】
また、請求項６記載した画像記録再生装置において、機械的アイリス制御手段と電子的アイリス制御手段のいずれかの手段を有するか、あるいは機械的電子的の両アイリス制御手段を有する事により、特に再生時、静止画像に出力ゲイン変化を加える擬似動画再生が可能になった。
【００２１】
また、請求項７記載の画像記録再生装置において、アイリス制御プログラムを作成する際に、プログラム中の制御アイリス内容に応じた周波数の音声を発生する手段を備え、カメラ撮影記録の際にはプログラム済みの制御アイリス内容に応じた周波数の音声を発生し、あるいは更に平行してこの発生音声を記録する手段を備え、記録画像再生の際にも、プログラム済みの制御アイリス内容に応じた周波数の音声を発生する手段を備えた事により、ユーザーにとって面倒なアイリス制御プログラム作成も音声を参照した直感的作業が実施可能になり、また、静止画像に出力ゲイン変化を加える擬似動画再生も音声を加えた演出的表現ができるようになった。
【００２２】
また、請求項８記載の画像記録再生装置において、カメラ撮影記録の際には、ユーザーのトリガーキー押圧操作からプログラムアイリス制御を開始し、プログラムシーケンスステップ完了後であってもに記録撮影が継続される場合は、プログラムシーケンス終端の制御アイリスを保持する手段を有し、記録画像の再生の際には、ユーザーのトリガーキー押圧操作から出力ゲイン制御を開始し、プログラムシーケンスステップ完了後であっても再生操作が継続される場合は、プログラムシーケンス終端の出力ゲインを保持する手段を有する事により、プログラムシーケンス完了後であっても安定したアイリス制御が可能になった。
【発明の最良の実施形態】
【００２３】
以下に本発明の実施例について説明する。
【実施例１】
【００２４】
以下に、本発明の第１の実施例の画像記録再生装置を図１〜図４に基づき説明する。
【００２５】
図７は本発明に係る画角制御方式画像記録再生装置のプログラミング系及び、記録系を説明するブロック図である。
【００２６】
図７において、１０は画角調整可能なズーム機能を備えた光学レンズ、１２は光学レンズで結像した画像をＣＣＤで読み込み、ＡＤ変換し画像記録前処理を施す撮像回路、４２は記録する音声周波数を発生する為のＶＣＯ、４４は音源の基本周波数を発生する音源周波数発信器、４０はＶＣＯの発信信号を音源の発信信号へ重畳する音声合成回路、４６は合成した音声を出力するためのスピーカ、１４は撮像回路からのデジタル画像信号と、デジタル音声信号の両方が１６の記録回路にて保存可能な形へ時分割処理などして形式化する多重化回路、１６は磁気テープ媒体、あるいは光ディスク媒体、半導体メモリ媒体などのデジタル記録媒体へ記録する為の記録回路、５２はエンコーダで構成するプログラム用回転子、５４はプログラム、記録、再生の開始、終了のタイミングを読み取るトリガースイッチ、５６はプログラム、記録、再生の各モードを切り替えるモードスイッチ、５０は各ユーザーインターフェーススイッチ状況を監視し、システムのシーケンス制御を統合制御するＣＰＵ、６０はプログラムシーケンスや制御値を記録保存する為のメモリ、３０は１０の光学レンズの画角変更動作を実行するズームモータであり、５０のＣＰＵからの制御信号が３２の光学ズーム駆動回路にてモータ制御信号へ変換される事により動作する。３４は１２の撮像回路内のＡＤ変換された画像信号を読出し、一旦保存し、必要な部分のみ切出し補間処理する事により、電子的画像拡大を実行する電子ズーム回路を示す。
【００２７】
図３に画像記録再生装置のハード例としてデジタルカメラへ本発明を適用した場合の概観図を示す。
【００２８】
図３において、２４は撮影中画像、あるいは記録媒体中の保存画像を再生表示する為の表示回路としての液晶パネル、５２はエンコーダで構成するプログラム用回転子、５４はプログラム、記録、再生の開始、終了のタイミングを読み取るトリガースイッチである。
【００２９】
この実施例１では、図７のハードを使い画角を時間的シーケンシャルにプログラミングする実施形態を図２のプログラミング状態模式図と図４のフローチャートを使って説明する。
【００３０】
本発明のプログラミング方法は、カメラに関する知識の無い幼い子供であっても親しめる機能を目標としている為、カメラの難しい操作方法やプログラミングに関する知識が無くとも、容易に実行可能な方法を採用した。ユーザー操作としては図３、５２のプログラム回転子を矢印の任意方向へ回転操作しながら、プログラミングの開始と終了に各１回、トリガースイッチ５４を押圧するだけで、プログラミングは完了する。プログラム用回転子を回転操作しながら、トリガースイッチを押圧すると、プログラム回転子の角度位置に応じて同時変化する周波数音声がスピーカから発生するので、この音を聞きながら、プログラミング操作を実施する。
【００３１】
具体的に、図２を使って説明する。図２に示す二つのグラフは横軸が経過時間を示し、縦軸については、上グラフがプログラムされた画角制御値、下グラフがプログラミング時に発生される音声周波数を示す。上下グラフは時間軸方向に同期進行する様子を示している。つまり、プログラム回転子の角度位置に応じ、１対１の画角制御プログラムコード、１対１の再生（記録）音声周波数を同時に得る事を示す。
【００３２】
更に、具体的に図４のフローチャートに沿って説明する。まず、最初に図７、ＣＰＵ５０はモードスイッチ５６の状態を検査し（Ｓ１０２）、これがプログラムモードであるとＳ１０４、Ｓ１０８へと移行する。Ｓ１０８でＣＰＵ５０はトリガースイッチ５４の状態を検査し、これが押圧されていない場合は、その状態のままトリガースイッチ状態検査を継続する。
【００３３】
押圧されている場合はＳ１１０へ移行し、ＣＰＵ５０はプログラム回転子５２の角度情報を読み取り、Ｓ１１２からのルーチンとＳ１４０からのルーチンを同時実行する。Ｓ１１２のルーチンではプログラム回転子の角度に１対１に対応したプログラムコード、この場合、画角プログラム回転子の角度に１対１に対応した画角制御コードをＣＰＵ５０が吐き出し、ＣＰＵ５０はこのプログラムコードをメモリ６０へと新規画角制御プログラムコードとして記録する。
【００３４】
Ｓ１４０のルーチンではプログラム回転子５２の角度に１対1に対応した制御電圧をＣＰＵ５０が吐き出し、これをＶＣＯ４２へ入力し周波数発振へと変換させる。ＶＣＯ４２から出力される発信信号は音源周波数発信器４４からの音源基本周波数発信信号と、音声合成回路４０上で重畳され、出力音声信号として合成される。
【００３５】
この音声信号は音声出力手段４６であるスピーカへ入力される事により、プログラマーへ認識可能な音声信号として出力する（Ｓ１４２）。
【００３６】
次に、ＣＰＵ５０はステップＳ１２０へと状態を遷移させ一定時間の経過を待った後、ステップＳ１２２へ移行し、再びトリガースイッチ５４の状態を検査する。
【００３７】
ここでの検査はユーザーのプログラミング完了意思の確認であり、トリガースイッチ５４が押圧されていなければ、再び、Ｓ１１０へ戻り、次のプログラミングステップの入力、保存、音声出力の一連の流れを開始し、押圧されていればＳ１２４へと移行しプログラミング動作を完了する。
【実施例２】
【００３８】
次に、第２の実施例では、上述の実施例１で示した方法を使って作成した画角シーケンシャル制御プログラムを用いて、プログラム実行しながら画像記録する方法を説明する。説明には図７、図５、プログラム撮影実行模式である図１を使用する。
【００３９】
まず、最初に図７のＣＰＵ５０はモードスイッチ５６の状態を検査し（Ｓ１０２）、これが記録モードであるとＳ２０４、Ｓ２０８へと移行する。Ｓ２０８でＣＰＵ５０はトリガースイッチ５４の状態を検査し、これが押圧されていない場合は、その状態のままトリガースイッチ５４の状態検査を継続する。押圧された場合直ちにＳ２１０へ移行し、ＣＰＵ５０はメモリ６０上の画角制御プログラムコードを読み出す。この後、ＣＰＵ５０はＳ２３０からの画角制御ルーチン、Ｓ２４０からの音声制御ルーチン、Ｓ２５０からの入力画像記録ルーチンを同時実行する。
【００４０】
つまり、Ｓ２５０のカメラ入力画記録ステップにおいて、光学レンズ１０で結像した画像を撮像回路１２が読み込みＡＤ変換し、この画像信号を多重化回路１４へ送り、音声信号とあわせて記録フォーマット化された後、記録回路１６にて、磁気テープ媒体、あるいは光ディスク媒体、半導体メモリ媒体などのデジタル記録媒体へ記録する。この入力画像記録ルーチンに平行し、ＣＰＵ５０はＳ２３０からの画角制御ルーチン、Ｓ２４０からの音声制御ルーチンを実行する。
【００４１】
まず、Ｓ２３０からの画角制御ルーチンでは最初にＣＰＵ５０は、Ｓ２１０で読み出した画角制御プログラムコードがエンドコードか否かを検査する。エンドコードではない場合はＳ２３２へ移行し、読み出した画角制御プログラムコードの示す画角値と光学レンズ１０の持つ光学ズーム画角最小値を比較する。ここで、「プログラム画角値≧光学ズーム最小画角」の場合は、補間により画質劣化する電子ズーム機能を使うより、クリアな画質が得られる光学ズームだけによる画角制御をＣＰＵ５０が選択し、Ｓ２３４へ移行する。
【００４２】
一方、「プログラム画角値＜光学ズーム最大画角」の場合は、光学ズームを画角最小に設定し、かつ、光学ズームで拡大された被写体をさらに拡大させるため電子ズーム機能を使うＳ２３６へ移行する。また、Ｓ２３０にて、Ｓ２１０で読み出した画角制御プログラムコードがエンドコードであった場合には、そのままＳ２２２へ移行し、画角制御を行わず、現在の画角制御状態を維持する。こうする理由は後で図１を使って説明する。
【００４３】
一方、音声制御ルーチンについては、Ｓ２４０にて画角制御プログラムコードに１対１に対応した制御電圧をＣＰＵ５０が吐き出し、これをＶＣＯ４２へ入力し周波数発振へと変換させる。この時、画角と音声を１対１に対応させる方法は、上述のプログラミング時に対応させた画角と音声周波数の組合せと全く同じ値で対応させれば、ユーザーにとって直感的に判り易くなる。ＶＣＯから出力される発信信号は音源周波数発信器４４からの音源基本周波数発信信号と、音声合成回路４０上で重畳され、出力音声信号として合成される。この音声信号は音声出力手段４６であるスピーカへ入力される事により、撮影者へ認識可能な音声信号として出力する（Ｓ２４２）。この実施例では、次にこのステップで出力した音声信号をカメラ画と多重化回路１４にて多重して記録回路１６にて記録する（Ｓ２４６）方法をも追加した。
【００４４】
このように構成する事によって、当画像記録再生装置にて記録した記録媒体を他の再生装置上で再生する場合においても効果音付画像の再生が可能となる。Ｓ２４６を省く場合は、当画像記録再生装置のみにおいて、効果音付画像の再生が可能となる。
【００４５】
以上の様に入力画像記録ルーチンに平行し、画角制御ルーチン、音声制御ルーチンを実行した後、図７、ＣＰＵ５０はＳ２２２へ移行し、再びトリガースイッチ５４の状態を検査する。ここでの検査はユーザーの撮影完了意思の確認であるので、トリガースイッチが押圧されていなければ、再びＳ２１０へ戻り、次の画角制御プログラミングコードの読み出し、画角制御、音声出力、カメラ画記録の一連の流れを開始し、押圧されていればＳ２２４へと移行しプログラミング動作を完了する。
【００４６】
更に具体的に、図１を使って説明する。
【００４７】
図１に示す二つのグラフは横軸が経過時間を示し、縦軸については、上グラフが読み出された画角制御値、下グラフがプログラミング実行時に発生される音声周波数を示す。上下グラフは時間軸方向に同期進行する様子を示している。つまり、上記実施例１の方法により予めプログラムされた画角制御プログラムコードによって、１対１の制御画角値、１対１の再生（記録）音声周波数を同時に得る事を示す。  
【００４８】
▲印で示す箇所はユーザーによる撮影開始と撮影完了の時間であり、トリガースイッチ５４の押圧があった時間である。図１に示す二つのグラフの更に上に表示してある模式図列は、この実施例２の方法を使って画角制御プログラム撮影した場合に記録される各時点での記録画像例を離散時間的に取り出したものである。
【００４９】
図１と図５のフローチャートを平行させながら再度、説明する。ＣＰＵ５０は時刻Ｑにおいてユーザー操作によるトリガースイッチ５４の押圧を検知し（Ｓ２０８）、Ｓ２１０へ移行し、メモリ６０上の画角制御プログラムコードを読み出し、Ｓ２３０からの画角制御ルーチン、Ｓ２４０からの音声制御ルーチン、Ｓ２５０からの入力画像記録ルーチンを同時実行を開始する。時刻Ｑから時刻Ｒに推移する間にプログラム済みの画角が徐々に縮小遷移するのが、メモリ６０上の画角制御プログラムコードから検知され、記録画像領域内の主被写体像が徐々に大きくなる。時刻Ｒを越えた時刻Ａで、ＣＰＵは画角制御プログラムコードで指示する画角値が光学ズームで拡大可能な最小画角を超えたのを検知し（Ｓ２３２）、光学ズーム画角を最小の状態で保持し、それ以上の画角縮小は電子ズームによる拡大処理へと移行する（Ｓ２３６）。時刻Ｓにて画角は一旦最小ピークを迎え、時刻Ｂで再び電子ズームの補助拡大が不要な画角領域へ戻る為、時刻Ｂから時刻Ｃの間は光学ズームのみで画角制御を行う。同様なルーチンを時刻Ｕ、時刻Ｄ、時刻Ｖ、時刻Ｅ、時刻Ｗ、時刻Ｘまで続ける。時刻Ｘは△で示した様に画角制御プログラムの最終制御値であり、この後、ＣＰＵ５０がメモリ６０内の次ステッププログラムを参照しても、プログラムのエンドコードだけが出力されるのみであるので、図５においてはＳ２３０をＳ２２２へ直接迂回するフローとなり、Ｓ２２２にてユーザーがトリガースイッチ５４を押圧するまで、図１太線を使って示したように画角制御値はプログラムの最終画角制御値を保存したまま、時刻Ｘ、時刻Ｙ、時刻Ｚと時間遷移していく。
【実施例３】
【００５０】
次に、本発明の第３の実施例を説明する。この実施例３では、上述の実施例１で示した方法を使って作成した画角シーケンシャル制御プログラムを用いて、プログラム実行しながら記録媒体へ記録済みの画像を再生する方法を説明する。説明には図８、図６を使用する。
【００５１】
具体的に図６のフローチャートに沿って説明する。まず、最初に図８に示すＣＰＵ５０はモードスイッチ５６状態を検査し（Ｓ１０２）、これが再生モードであるとＳ３０４、Ｓ３０８へと移行する。Ｓ３０８で図８のＣＰＵ５０はトリガースイッチ５４の状態を検査し、これが押圧されていない場合は、その状態のままトリガースイッチ５４の状態検査を継続する。押圧された場合直ちにＳ３１０へ移行し、ＣＰＵ５０はメモリ６０上の画角制御プログラムコードを読み出す。この後、ＣＰＵ５０はＳ３３０からの画角制御ルーチン、Ｓ３４０からの音声制御ルーチン、Ｓ３５０からの再生画像出力ルーチンを同時実行する。
【００５２】
つまり、Ｓ３５０の再生画像出力ステップにおいて、再生回路２０は磁気テープ媒体、あるいは光ディスク媒体、半導体メモリ媒体などのデジタル記録媒体から画像データを読み出し、読み出した画像データが圧縮データであれば、これを伸長し画像メモリ２２へ生画像データとして一旦記録する。画像メモリ上の生画像データは電子ズーム回路３４に入力され、後述のズーム制御を施された後、画像メモリ２２へ再び書き戻される。書き戻された画像は液晶モニタ２４などの表示回路へ送られユーザーへの再生画像として表示させる。
【００５３】
この再生画像出力ルーチンに平行し、ＣＰＵ５０はＳ３３０からの画角制御ルーチン、Ｓ３４０からの音声制御ルーチンを実行する。まず、Ｓ３３０からの画角制御ルーチンでは最初にＣＰＵ５０が、Ｓ３１０で読み出した画角制御プログラムコードがエンドコードか否かを検査する。エンドコードではない場合は、画角制御プログラムコードに示されている画角値で電子ズーム機能を制御する（Ｓ３３６）。  
【００５４】
また、Ｓ３３０にて、Ｓ３１０で読み出した画角制御プログラムコードがエンドコードであった場合には、そのままＳ３６０へ移行し、画角制御を行わず、現在の画角制御状態を維持する。こうする理由はユーザーが作成した画角制御プログラムの時間長の経過後も引き続き、再生操作が継続された場合であっても、電子ズーム制御を安定に保つ為である。一方、音声制御ルーチンについては、Ｓ３４０にて画角制御プログラムコードに１対１に対応した制御電圧をＣＰＵ５０が吐き出し、これをＶＣＯ４２へ入力し周波数発振へと変換させる。
【００５５】
この時、画角と音声を１対１に対応させる方法は、上述の実施例１で示したプログラミング時に対応させた値と全く同じ画角と音声周波数の組合せで対応させれば、ユーザーにとって直感的に判り易くなる。ＶＣＯから出力される発信信号は音源周波数発信器４４からの音源基本周波数発信信号と、音声合成回路４０上で重畳され、出力音声信号として合成される。この音声信号は音声出力手段４６であるスピーカへ入力される事により、ユーザーへ認識可能な音声信号として出力する（Ｓ３４２）。
【００５６】
以上の様に再生画像出力ルーチンに平行し、画角制御ルーチン、音声制御ルーチンを実行した後、ＣＰＵ５０は次にＳ３２２へ移行し、再びトリガースイッチ５４の状態を検査する。ここでの検査はユーザーの再生完了意思の確認であるので、トリガースイッチ５４が押圧されていなければ、再びＳ３１０へ戻り、次の画角制御プログラミングコードの読み出し、画角制御、音声出力、記録画再生の一連の流れを開始し、押圧されていればＳ３２４へと移行し画像再生動作を完了する。
【実施例４】
【００５７】
次に、第４の実施例を説明する。ここまでに説明した実施例１、２、３ではズーム制御しながら撮影したり、再生したりする例を示したが、以下に説明する第４、第５、第６の実施例ではアイリス制御しながら、撮影したり、再生したりする例を挙げる。
【００５８】
まず、図１３を説明する。図１３は本発明に係るアイリス制御方式画像記録再生装置のプログラミング系及び、記録系を説明するブロック図である。図１３において、１０は絞り調整可能なアイリス機能を備えた光学レンズ、１２は光学レンズで結像した画像をＣＣＤで読み込み、ＡＤ変換し画像記録前処理を施す撮像回路、４２は記録する音声周波数を発生する為のＶＣＯ、４４は音源の基本周波数を発生する音源周波数発信器、４０はＶＣＯの発信信号を音源の発信信号へ重畳する音声合成回路、４６は合成した音声を出力するためのスピーカ、１４は撮像回路からのデジタル画像信号と、デジタル音声信号の両方が記録回路１６にて保存可能な形へ時分割処理などして形式化する多重化回路、１６は磁気テープ媒体、あるいは光ディスク媒体、半導体メモリ媒体などのデジタル記録媒体へ記録する為の記録回路、５２はエンコーダで構成するプログラム用回転子、５４はプログラム、記録、再生の開始、終了のタイミングを読み取るトリガースイッチ、５６はプログラム、記録、再生の各モードを切り替えるモードスイッチ、５０は各ユーザーインターフェーススイッチ状況を監視し、システムのシーケンス制御を統合制御するＣＰＵ、６０はプログラムシーケンスや制御値を記録保存する為のメモリ、３１は光学レンズ１０のアイリス変更動作を実行するアイリスモータであり、ＣＰＵ５０からの制御信号が光学アイリス駆動回路３３にてモータ制御信号へ変換される事により動作する。
【００５９】
この実施例４では、図１３のハードを使いアイリスを時間的シーケンシャルにプログラミングする実施形態を図１０のフローチャートを使って説明する。
【００６０】
まず、最初にＣＰＵ５０はモードスイッチ５６の状態を検査し（Ｓ６０２）、これがプログラムモードであるとＳ６０４、Ｓ６０８へと移行する。Ｓ６０８でＣＰＵ５０はトリガースイッチ５４の状態を検査し、これが押圧されていない場合は、その状態のままトリガースイッチ状態検査を継続する。押圧されている場合はＳ６１０へ移行し、ＣＰＵ５０はプログラム回転子５２の角度情報を読み取り、Ｓ６１２からのルーチンとＳ６４０からのルーチンを同時実行する。Ｓ６１２のルーチンではプログラム回転子の角度に１対１に対応したプログラムコード、この場合、プログラム回転子５２の角度に１対１に対応したアイリス制御コードをＣＰＵ５０が吐き出し、ＣＰＵ５０はこのプログラムコードをメモリ６０へと新規アイリス制御プログラムコードとして記録する。
【００６１】
Ｓ６４０のルーチンではプログラム回転子の角度に１対１に対応した制御電圧をＣＰＵ５０が吐き出し、これをＶＣＯ４２へ入力し周波数発振へと変換させる。ＶＣＯから出力される発信信号は音源周波数発信器４４からの音源基本周波数発信信号と、音声合成回路４０上で重畳され、出力音声信号として合成される。この音声信号は音声出力手段４６であるスピーカへ入力される事により、プログラマーへ認識可能な音声信号として出力する（Ｓ６４２）。次に、ＣＰＵ５０はステップＳ６２０へと状態を遷移させ一定時間の経過を待った後、Ｓ６２２へ移行し、再びトリガースイッチ５４の状態を検査する。ここでの検査はユーザーのプログラミング完了意思の確認であり、トリガースイッチが押圧されていなければ、再び、Ｓ６１０へ戻り、次のプログラミングステップの入力、保存、音声出力の一連の流れを開始し、押圧されていればＳ６２４へと移行しプログラミング動作を完了する。
【実施例５】
【００６２】
次に、本発明の第５の実施例を説明する。この実施例５では、上述の実施例４で示した方法を使って作成したアイリスシーケンシャル制御プログラムを用いて、プログラム実行しながら画像記録する方法を説明する。
【００６３】
説明には図１３、図１１、プログラム撮影実行模式図である図９を使用し、具体的に図１１のフローチャートに沿って説明する。
【００６４】
まず、最初に図１３、ＣＰＵ５０はモードスイッチ５６の状態を検査し（Ｓ６０２）、これが記録モードであるとＳ７０４、Ｓ７０８へと移行する。Ｓ７０８でＣＰＵ５０はトリガースイッチ５４状態を検査し、これが押圧されていない場合は、その状態のままトリガースイッチ状態検査を継続する。押圧された場合直ちにＳ７１０へ移行し、ＣＰＵ５０はメモリ６０上のアイリス制御プログラムコードを読み出す。この後、ＣＰＵ５０はＳ７３０からのアイリス制御ルーチン、Ｓ７４０からの音声制御ルーチン、Ｓ７５０からの入力画像記録ルーチンを同時実行する。
【００６５】
つまり、Ｓ７５０のカメラ入力画記録ステップにおいて、光学レンズ１０で結像した画像を撮像回路１２が読み込みＡＤ変換し、この画像信号を入力ゲイン調整回路３５を介して多重化回路１４へ送り、音声信号とあわせて記録フォーマット化された後、記録回路１６にて、磁気テープ媒体、あるいは光ディスク媒体、半導体メモリ媒体などのデジタル記録媒体へ記録する。
【００６６】
この入力画像記録ルーチンに平行し、ＣＰＵ５０はＳ７３０からのアイリス制御ルーチン、Ｓ７４０からの音声制御ルーチンを実行する。まず、Ｓ７３０からのアイリス制御ルーチンでは最初にＣＰＵ５０は、Ｓ７１０で読み出したアイリス制御プログラムコードがエンドコードか否かを検査する。エンドコードではない場合はＳ７３２へ移行し、読み出したアイリス制御プログラムコードの示すアイリス値と光学レンズ１０の持つ光学アイリス最小値を比較する。ここで、「プログラムアイリス値≧光学最小アイリス」の場合は、ノイズ部も増幅する事により画質劣化する入力ゲイン調整機能を使うより、クリアな画質が得られる光学アイリスだけによるアイリス制御をＣＰＵ５０が選択し、Ｓ７３４へ移行する。
【００６７】
一方、「プログラムアイリス値＜光学最大アイリス」の場合は、光学アイリスをアイリス最小に設定し、かつ、光学アイリスで高めた被写体輝度をさらに高めるため入力ゲイン調整機能を使うＳ７３６へ移行する。また、Ｓ７３０にて、ステップＳ７１０で読み出したアイリス制御プログラムコードがエンドコードであった場合には、そのままＳ７６０へ移行し、アイリス制御を行わず、現在のアイリス制御状態を維持する。こうする理由はユーザーが作成したアイリス制御プログラムの時間長の経過後も引き続き、録画操作が継続された場合であっても、電子ズーム制御を安定に保つ為である。一方、音声制御ルーチンについては、Ｓ７４０にてアイリス制御プログラムコードに１対１に対応した制御電圧をＣＰＵ５０が吐き出し、これをＶＣＯ４２へ入力し周波数発振へと変換させる。
【００６８】
この時、アイリスと音声を１対１に対応させる方法は、上述の実施例４で示したプログラミング時に対応させたアイリスと音声周波数の組合せと全く同じ値で対応させれば、ユーザーにとって直感的に判り易くなる。ＶＣＯから出力される発信信号は音源周波数発信器４４からの音源基本周波数発信信号と、音声合成回路４０上で重畳され、出力音声信号として合成される。この音声信号は音声出力手段４６であるスピーカへ入力される事により、撮影者へ認識可能な音声信号として出力する（Ｓ７４２）。この実施例５では、次にこのステップで出力した音声信号をカメラ画と多重化回路１４にて多重して記録回路１６にて記録する（Ｓ７４６）方法をも追加した。このように構成する事によって、当画像記録再生装置にて記録した記録媒体を他の再生装置上で再生する場合においても効果音付画像の再生が可能となる。
【００６９】
Ｓ７４６を省く場合は、当画像記録再生装置のみにおいて、効果音付画像の再生が可能となる。以上の様に入力画像記録ルーチンに平行し、アイリス制御ルーチン、音声制御ルーチンを実行した後、ＣＰＵ５０はＳ７２２へ移行し、再びトリガースイッチ５４の状態を検査する。ここでの検査はユーザーの撮影完了意思の確認であるので、トリガースイッチ５４が押圧されていなければ、再びＳ７１０へ戻り、次のアイリス制御プログラミングコードの読み出し、アイリス制御、音声出力、カメラ画記録の一連の流れを開始し、押圧されていればＳ７２４へと移行しプログラミング動作を完了する。
【００７０】
更に具体的に、図９を使って説明する。図９に示す二つのグラフは横軸が経過時間を示し、縦軸については、上グラフが読み出されたアイリス制御値、下グラフがプログラミング実行時に発生される音声周波数を示す。上下グラフは時間軸方向に同期進行する様子を示している。つまり、上述の実施例１の方法により予めプログラムされたアイリス制御プログラムコードによって、１対１の制御アイリス値、１対１の再生（記録）音声周波数を同時に得る事を示す。▲印で示す箇所はユーザーによる撮影開始と撮影完了の時間であり、トリガースイッチ５４の押圧があった時間である。図９に示す二つのグラフの更に上に表示してある模式図列は、この実施例５の方法を使ってアイリス制御プログラム撮影した場合に記録される各時点での記録画像例を離散時間的に取り出したものである。
【００７１】
図９と図１１のフローチャートを平行させながら再度、説明する。ＣＰＵ５０は時刻Ｑにおいてユーザー操作によるトリガースイッチ５４の押圧を検知し（Ｓ７０８）、Ｓ７１０へ移行し、メモリ６０上のアイリス制御プログラムコードを読み出し、Ｓ７３０からのアイリス制御ルーチン、Ｓ７４０からの音声制御ルーチン、Ｓ７５０からの入力画像記録ルーチンを同時実行を開始する。時刻Ｑから時刻Ｒに推移する間にプログラム済みのアイリスが徐々に縮小遷移するのが、メモリ６０上のアイリス制御プログラムコードから検知され、記録画像領域内の主被写体像が徐々に明るくなる。時刻Ｒを越えた時刻Ａで、ＣＰＵはアイリス制御プログラムコードで指示するアイリス値が光学アイリスで制御可能な最小アイリスを超えたのを検知し（Ｓ７３２）、光学アイリスアイリスを最小の状態で保持し、それ以上のアイリス縮小は入力ゲイン調整による処理へと移行する（Ｓ７３６）。
【００７２】
時刻Ｓにてアイリスは一旦最小ピークを迎え、時刻Ｂで再び入力ゲインの補助増幅が不要なアイリス領域へ戻る為、時刻Ｂから時刻Ｃの間は光学アイリスのみでアイリス制御を行う。同様なルーチンを時刻Ｕ、時刻Ｄ、時刻Ｖ、時刻Ｅ、時刻Ｗ、時刻Ｘまで続ける。時刻Ｘは△で示した様にアイリス制御プログラムの最終制御値であり、この後、ＣＰＵ５０がメモリ６０内の次ステッププログラムを参照しても、プログラムのエンドコードだけが出力されるのみであるので、図１１においてはＳ７３０をＳ７２２へ直接迂回するフローとなり、Ｓ７２２にてユーザーがトリガースイッチ５４を押圧するまで、図９太線を使って示したようにアイリス制御値はプログラムの最終アイリス制御値を保存したまま、時刻Ｘ、時刻Ｙ、時刻Ｚと時間遷移していく。
【実施例６】
【００７３】
次に、本発明の第６の実施例を説明する。この実施例６では、上述の実施例４で示した方法を使って作成したアイリスシーケンシャル制御プログラムを用いて、プログラム実行しながら記録媒体へ記録済みの画像を再生する方法を説明する。説明には図１４、図１２を使用し、具体的に図１２のフローチャートに沿って説明する。
【００７４】
まず、最初にＣＰＵ５０はモードスイッチ５６の状態を検査し（Ｓ６０２）、これが再生モードであるとＳ８０４、Ｓ８０８へと移行する。Ｓ８０８でＣＰＵ５０はトリガースイッチ５４の状態を検査し、これが押圧されていない場合は、その状態のままトリガースイッチ状態検査を継続する。押圧された場合直ちにＳ８１０へ移行し、ＣＰＵ５０はメモリ６０上のアイリス制御プログラムコードを読み出す。
【００７５】
この後、ＣＰＵ５０はＳ８３０からのアイリス制御ルーチン、Ｓ８４０からの音声制御ルーチン、Ｓ８５０からの再生画像出力ルーチンを同時実行する。
【００７６】
つまり、Ｓ８５０の再生画像出力ステップにおいて、再生回路２０は磁気テープ媒体、あるいは光ディスク媒体、半導体メモリ媒体などのデジタル記録媒体から画像データを読み出し、読み出した画像データが圧縮データであれば、これを伸長し画像メモリ２２へ生画像データとして一旦記録する。画像メモリ２２上の生画像データは出力ゲイン調整回路３７に入力され、後述のアイリス制御を施された後、液晶モニタ２４などの表示回路へ送られユーザーへの再生画像として表示させる。
【００７７】
この再生画像出力ルーチンに平行し、ＣＰＵ５０はＳ８３０からのアイリス制御ルーチン、Ｓ８４０からの音声制御ルーチンを実行する。まず、Ｓ８３０からのアイリス制御ルーチンでは最初にＣＰＵ５０が、Ｓ８１０で読み出したアイリス制御プログラムコードがエンドコードか否かを検査する。エンドコードではない場合は、アイリス制御プログラムコードに示されているアイリス値で電子アイリス機能を制御する（Ｓ８３６）。
【００７８】
また、Ｓ８３０にて、Ｓ８１０で読み出したアイリス制御プログラムコードがエンドコードであった場合には、そのままＳ８６０へ移行し、アイリス制御を行わず、現在のアイリス制御状態を維持する。こうする理由はユーザーが作成したアイリス制御プログラムの時間長の経過後も引き続き、再生操作が継続された場合であっても、電子アイリス制御を安定に保つ為である。
一方、音声制御ルーチンについては、Ｓ８４０にてアイリス制御プログラムコードに１対１に対応した制御電圧をＣＰＵ５０が吐き出し、これをＶＣＯ４２へ入力し周波数発振へと変換させる。この時、アイリスと音声を１対１に対応させる方法は、上述の実施例４で示したプログラミング時に対応させた値と全く同じアイリスと音声周波数の組合せで対応させれば、ユーザーにとって直感的に判り易くなる。ＶＣＯ４２から出力される発信信号は音源周波数発信器４４からの音源基本周波数発信信号と、音声合成回路４０上で重畳され、出力音声信号として合成される。
【００７９】
この音声信号は音声出力手段４６であるスピーカへ入力される事により、ユーザーへ認識可能な音声信号として出力する（Ｓ８４２）。以上の様に再生画像出力ルーチンに平行し、アイリス制御ルーチン、音声制御ルーチンを実行した後、ＣＰＵ５０は次にＳ８２２へ移行し、再びトリガースイッチ５４の状態を検査する。ここでの検査はユーザーの再生完了意思の確認であるので、トリガースイッチ５４が押圧されていなければ、再びＳ８１０へ戻り、次のアイリス制御プログラミングコードの読み出し、アイリス制御、音声出力、記録画再生の一連の流れを開始し、押圧されていればＳ８２４へと移行し画像再生動作を完了する。
【図面の簡単な説明】
【００８０】
【図１】画角制御プログラム撮影実行模式図である。
【図２】画角制御プログラミング状態模式図である。
【図３】画像記録再生装置のハード例としてデジタルカメラへ本発明を適用した場合の概観図である。
【図４】画角制御プログラミング状態の動作説明フローチャートである。
【図５】画角制御撮影記録時の動作説明フローチャートである。
【図６】画角制御再生時の動作説明フローチャートである。
【図７】画角制御方式画像記録再生装置のプログラミング系及び、記録系を説明するブロック図である。
【図８】画角制御方式画像記録再生装置の再生系を説明するブロック図である。
【図９】アイリス制御プログラム撮影実行模式図である。
【図１０】制御プログラミング状態の動作説明フローチャートである。
【図１１】アイリス制御撮影記録時の動作説明フローチャートである。
【図１２】アイリス制御再生時の動作説明フローチャートである。
【図１３】アイリス制御方式画像記録再生装置のプログラミング系及び、記録系を説明するブロック図である。
【図１４】アイリス制御方式画像記録再生装置の再生系を説明するブロック図である。
【符号の説明】
【００８１】
１０      光学レンズ
１２      撮像回路
１４      多重化回路
１６      磁気テープ媒体
２０      再生回路
２２      画像メモリ
２４      表示回路
３０      ズームモータ
３１      アイリスモータ
３２      光学ズーム駆動回路
３３      光学アイリス駆動回路
３４      電子ズーム回路
３５      入力ゲイン調整回路
３７      出力ゲイン調整回路
４０      音声合成回路
４２      ＶＣＯ
４４      音源周波数発信器
４６      スピーカ
５０      ＣＰＵ
５２      プログラム用回転子
５４      トリガースイッチ
５６      プログラム、記録、再生各モード切り替えスイッチ
６０      プログラムシーケンスや制御値を保存するメモリ
【図１】
2005175982.tif 000003
【図２】
2005175982.tif 000004
【図３】
2005175982.tif 000005
【図４】
2005175982.tif 000006
【図５】
2005175982.tif 000007
【図６】
2005175982.tif 000008
【図７】
2005175982.tif 000009
【図８】
2005175982.tif 000010
【図９】
2005175982.tif 000011
【図１０】
2005175982.tif 000012
【図１１】
2005175982.tif 000013
【図１２】
2005175982.tif 000014
【図１３】
2005175982.tif 000015
【図１４】
2005175982.tif 000016